(57)【特許請求の範囲】
【請求項１】
筒体下部を摘み筒２に、該摘み筒の上方筒部を縦割溝３付きの案内筒４に、それぞれ形成した容器本体１と、上記案内筒外面へ、回動可能に嵌合させた雌ねじ筒５と、上記案内筒内へ上下動可能に嵌合させた筒部外面から係合ピン７，７を突出して、該係合ピンを縦割溝に挿通させかつ該ピン先端を上記雌ねじ筒の雌ねじ溝内へ係合させた化粧品保持筒８とを有する棒状化粧品繰出し容器において、上記化粧品保持筒８を、上記係合ピン付きの短筒15と、該短筒内へ抜差し自在に嵌合させた差込み筒20を、周壁21下端の内向きフランジ状底壁22から垂下する中皿19と、上記周壁21内へ上下動自在に嵌合させて内向きフランジ状の底壁22上面へ載置させた支持板26下面から底壁22のフランジ状孔22a を通って押上げ棒27を垂下する押上げ部材25とで形成し、化粧品保持筒８を上限まで繰出した状態で、中皿周壁21の上部が案内筒４および雌ねじ筒５上端よりも相当長さ上方へ露出可能にかつ該露出部分引上げにより中皿19を化粧品保持筒８から取出し可能に形成したことを特徴とする、棒状化粧品繰出し容器。
【発明の詳細な説明】
【０００１】
【産業上の利用分野】
本発明は棒状化粧品繰出し容器に関する。
【０００２】
【従来の技術】
筒体下部を摘み筒に、該摘み筒の上方筒部を縦割溝付きの案内筒に、それぞれ形成した容器本体と、上記案内筒外面へ、回動可能に嵌合させた雌ねじ筒と、上記案内筒内へ上下動自在に嵌合させた筒部外面から係合ピンを突出して、該係合ピンを縦割溝に挿通させ、かつ該ピン先端を上記雌ねじ筒の雌ねじ溝内へ係合させた化粧品保持筒とで形成し、該化粧品保持筒の筒部内へ下端部を嵌合させて棒状口紅等を案内筒内へ収納し、雌ねじ筒に対する摘み筒の正逆両方向への回動により、その棒状口紅等を容器外方へ繰出し、又繰込むようにした容器が広く使用されている。
【０００３】
【発明が解決しようとする課題】
上記繰出し容器は通常使い棄てとされているが、棒状化粧品を使い終った後にも、化粧品保持筒の筒部には棒状化粧品の下端部が残って居り、よって該下端部を容易に取出せるようにすれば、その有効利用が出来ることとなる。
【０００４】
そこで本発明は、化粧品保持筒を、上記係合ピン付きの短筒と該短筒内へ着脱自在に嵌合させた押上げ部材付き中皿とで形成して、化粧品保持筒を上限まで繰出せば棒状化粧品を嵌合させた中皿を上記短筒から抜き出すことが可能とすると共に、その中皿に組付けた押上げ部材により中皿内に残った棒状化粧品下端部を容易に押上げ出来るよう設けたものである。
【０００５】
第１の手段として筒体下部を摘み筒２に、該摘み筒の上方筒部を縦割溝３付きの案内筒４に、それぞれ形成した容器本体１と、上記案内筒外面へ、回動可能に嵌合させた雌ねじ筒５と、上記案内筒内へ上下動可能に嵌合させた筒部外面から係合ピン７，７を突出して、該係合ピンを縦割溝に挿通させかつ該ピン先端を上記雌ねじ筒の雌ねじ溝内へ係合させた化粧品保持筒８とを有する棒状化粧品繰出し容器において、上記化粧品保持筒８を、上記係合ピン付きの短筒15と、該短筒内へ抜差し自在に嵌合させた差込み筒20を、周壁21下端の内向きフランジ状底壁22から垂下する中皿19と、上記周壁21内へ上下動自在に嵌合させて内向きフランジ状の底壁22上面へ載置させた支持板26下面から底壁22のフランジ状孔22a を通って押上げ棒27を垂下する押上げ部材25とで形成し、化粧品保持筒８を上限まで繰出した状態で、中皿周壁21の上部が案内筒４および雌ねじ筒５上端よりも相当長さ上方へ露出可能にかつ該露出部分引上げにより中皿19を化粧品保持筒８から取出し可能に形成した。
【０００６】
第２の手段として、上記第１の手段を有すると共に押上げ部材25の押上げ棒27を雄ねじ棒29として、中皿19の内向きフランジ状底壁22のフランジ状孔22a に螺合すると共に、その雄ねじ棒下端部を滑り止め付きの摘み部31とした。
【０００７】
【作用】
図１の状態から雌ねじ筒５を持ち、摘み筒２を正方向へ回すことで化粧品保持筒８を上昇させ、又逆方向へ回すことで下降させることが出来ることは周知である。化粧品保持筒内へ嵌合させた棒状化粧品28が減った後、図２のように化粧品保持筒８を上限まで上昇させ、その化粧品保持筒上半に位置する中皿19の周壁21上部を上方へ露出させ、該露出部分持上げにより中皿19を取出す。図示例では補助筒33を雌ねじ筒５の上端部へ継ぎ足しており、該補助筒取外しで中皿周壁の露出部分を更に長くすることが可能である。
【０００８】
中皿19取外し後、図４が示すように押上げ部材25で棒状化粧品の残存部分を取出し、コンパクト容器等の皿等に移して別使用すればよい。
【０００９】
押上げ部材25は図６以下図面が示すように、押上げ棒27を雄ねじ棒で形成してもよく、この場合は摘み部31により雄ねじ棒を螺上昇させ、上記残存部分を取出せばよい。尚図７が示すように中皿周壁21にカバー35を嵌合させてそのまま使用することも出来る。
【００１０】
【実施例】
まず、図１から図５が示す第１実施例について説明すると、１は筒体下部を摘み筒２に、かつ該摘み筒の上方筒部分を縦割溝３付きの案内筒４とする容器本体でその案内筒外面へは回動可能に雌ねじ筒５を嵌合させ、又上記案内筒内へ上下動可能に嵌合させた筒部外面から係合ピン７，７を突出して、該係合ピンを縦割溝３に挿通させ、かつそのピン先端を雌ねじ筒の雌ねじ溝内へ係合する化粧品保持筒８を設けて繰出し容器を形成している。
【００１１】
尚、図示例では、摘み筒下端部を大外径部としてその上方の小外径部外面に、複数バネ板10を筒上端面から上外方へ突設した基筒11を嵌着させ、又雌ねじ筒５を、雌ねじ溝付き合成樹脂筒5a外面へ金属製化粧筒5bを固着させて形成し、上記合成樹脂筒下端よりも化粧筒下端を下方まで垂下してその化粧筒下部内面へ上記複数バネ板の上部外面を圧接させて、案内筒４に対する雌ねじ筒５のガタ付きを防止し、雌ねじ溝付き合成樹脂筒5aの上端は案内筒４上端外面に周設した突条下面へ係合させている。尚12は摘み筒外面へ嵌合固着させた、摘み筒一部としての外筒、13は蓋体である。以上構成は公知である。
【００１２】
本発明では、上記化粧品保持筒８を、短筒と中皿と押出し部材とで形成した。
【００１３】
短筒15は、既述係合ピン７，７を筒部外面から突出させただけでもよいが、図示例では、その筒部の上部内面に付設した内向きフランジ16の内周部から第１係合筒17を起立し、かつ該第１係合筒内面の複数箇所に正三角形状の第１突出部18を内方へ突出させている。
【００１４】
中皿19は、上記短筒15内へ抜き差し自在に嵌合させた差込み筒20を、周壁21下端の内向きフランジ状底壁22から垂下する。図示例では更に上記短筒15の第１係合筒17内面へ嵌合させる第２係合筒23を上記底壁内周部から垂下し、かつ該第２係合筒外面へ上記第１突出部を倒立させた形状、つまり逆正三角形状の第２突出部24を付設し、それ等両突出部の斜面相互が、短筒15に対する中皿19の回動で接するよう設けており、その斜面接触状態から更に中皿19を回すことで、短筒の斜面に沿って中皿の第２突出部24が押上げられ、よって中皿19の差込み筒20が短筒15内から抜出すよう設けている。尚周壁21内面に化粧品係合用リブ21a を縦設している。
【００１５】
押上げ部材25は、上記中皿の周壁21内へ上下動自在に嵌合させて、底壁22上へ載置させた支持板26下面から中皿底壁のフランジ状孔22a を通ってＵ字状等に設けた押上げ棒27を垂下するもので、その押上げ棒の長さは、図４が示すように押上げ棒27押上げにより中皿19内に残った化粧品28を押出し出来る程度に設ければよい。支持板中央部には空気抜き用の小孔26a を穿設しており、又押上げ棒の上部外面へは中皿底壁のフランジ状孔22a 下縁に係合して、押上げ部材の抜け落ちを防止する突部を付設している。
【００１６】
上記押上げ部材は、図６から図８が示す第２実施例のように形成してもよい。該実施例にあっては、押上げ棒27を下端面開口の筒状をなす雄ねじ棒29とし、その雄ねじを中皿底壁のフランジ状孔内面に設けた雌ねじに螺合させている。又その雄ねじ棒下端部には滑止め突条30を複数縦設して押上げ部材25回動用の摘み部31に形成している。該実施例の場合は、中皿19に対して摘み部31を正方向へ回すことで押上げ部材25を上昇させ、中皿内の残存化粧品28を取出す。尚該実施例にあっては支持板26上面から複数の突部32を起立し、これ等突部を棒状化粧品下部内へ埋設することで回り止めとしている。
【００１７】
既述中皿周壁21は、図２が示すように、化粧品保持筒８を上限まで上昇させた状態で、その上部が案内筒４および雌ねじ筒５の上端よりも相当長さ上方へ露出可能に設け、その周壁露出部分を持ち引上げることで、中皿19を取出し可能に形成する。尚図示例では雌ねじ筒５の化粧筒5b上端を、案内筒４上端よりも高く突出し、該突出部分内面へ案内筒内径と同内径の補助筒33下部を嵌合させている。このように形成することで、その補助筒33取外しにより、中皿周壁21の上方露出部分を更に長くすることが出来る便利がある。
【００１８】
既述各部材のうち、雌ねじ筒外面の化粧筒5bを除き、すべて合成樹脂材で成形している。
【００１９】
【発明の効果】
本発明は既述構成としたから、化粧品保持筒８を上限まで繰出した状態で中皿周壁21の上方露出部分を引き上げることで、その中皿19を容易に取外すことが出来、又その中皿の内向きフランジ状底壁22上へ載置させた支持板26下面から、上記底壁のフランジ状孔22a を通って押上げ棒27を垂下する押上げ部材25を設けたから、その押上げ棒27を中皿19に対して押上げることで中皿内の残存化粧品28を取出し、該化粧品を有効に使用できるから従来のようにその残存化粧品を無駄にしなくてもよい。
【００２０】
請求項２の繰出し容器の場合は、上記効果のほか、上記押上げ棒を雄ねじ棒29として中皿底壁のフランジ状孔に螺合すると共にその雄ねじ棒下端部を滑り止め付きの摘み部31としたから、その雄ねじ棒を中皿19に対して正方向へ回すことで、中皿内の残存化粧品を僅か宛押出して使用することが出来、よってその中皿周壁上端にカバー35を嵌合する等して、その中皿を残存化粧品収納容器としても使用できる便利がある。
【図面の簡単な説明】
【図１】  本発明容器の半断面図である。
【図２】  残存化粧品を有する化粧品保持筒を上限まで繰出した状態で示す半断面図である。
【図３】  図２容器から、押出し部材付きの中皿と補助筒とを外した状態で示す分解半断面図である。
【図４】  中皿内から残存化粧品を押出している状態を示す断面図である。
【図５】  化粧品保持筒の分解斜視図である。
【図６】  第２実施例で示す、押出し部材付き中皿の半断面図である。
【図７】  図６の状態から押出し部材を僅かに上昇させ、かつ中皿上端にカバーを嵌合させて示す半断面図である。
【図８】  第２実施例による化粧品保持筒の分解斜視図である。
【符号の説明】
１…容器本体      ２…摘み筒      ３…縦割溝
４…案内筒        ５…雌ねじ筒    ８…化粧品保持筒
15…短筒          19…中皿        25…押上げ部材
【図１】
0003688330.tif 000002
【図２】
0003688330.tif 000003
【図３】
0003688330.tif 000004
【図４】
0003688330.tif 000005
【図５】
0003688330.tif 000006
【図６】
0003688330.tif 000007
【図７】
0003688330.tif 000008
【図８】
0003688330.tif 000009